(57)【要約】      （修正有）【課題】容器を先入れ、先出しすることができる小型のアキュームレーションコンベヤ装置を提供する。【解決手段】容器Ａを搬送する入口コンベヤ１に、一対のサイドガイド４を設けた幅広のアキュームレーションコンベヤＣを接続し、その搬出端部に出口コンベヤ３を接続する。アキュームレーションコンベヤＣを容器搬送方向に複数に分割し、その格分割コンベヤに容器の滞留を検出する入口センサおよび出口センサを設ける。処理装置の故障により、出口コンベヤ３上に容器Ａが滞留し、出口コンベヤ３の供給端部上において停止する容器Ａに後続の容器Ａを当接させて容器Ａを順次停止させ、最下流の分割コンベヤの搬出端部から順に容器Ａを貯留させると共に、出口センサが貯留容器Ａを検出した際に、その分割コンベヤを低速運転に切換え、入口センサが貯留容器Ａを検出した際にその分割コンベヤを停止させて、最下流の分割コンベヤから順に容器Ａを貯留させる。【選択図】図１
2007326665.tif 000002
【特許請求の範囲】
【請求項１】
容器を単列または複列の状態で搬送する入口コンベヤと、その入口コンベヤの搬出端部から送り出される容器を受け取って下流側に搬送する幅広のアキュームレーションコンベヤと、そのアキュームレーションコンベヤの搬出端部から送り出される容器を供給端部の一側で受け取って単列または複列の状態で下流側に搬送する出口コンベヤと、前記入口コンベヤから送り出される容器をアキュームレーションコンベヤの幅方向の中央部に誘導するガイドと、前記アキュームレーションコンベヤの搬送面の両側および出口コンベヤの搬送面両側に設けられた容器搬送方向に長く延びる一対のサイドガイドとからなり、前記アキュームレーションコンベヤを容器搬送方向に複数に分割し、その分割コンベヤの接続部間に容器の受け渡しを行うデッドプレートを設け、前記各分割コンベヤの供給端部および搬出端部のそれぞれに容器の滞留を検出する入口センサおよび出口センサを設け、出口センサが滞留容器を検出したとき、その分割コンベヤを減速し、入口センサが滞留容器を検出したとき、その分割コンベヤを停止させるようにしたアキュームレーションコンベヤ装置。
【請求項２】
容器を多列の状態で搬送する幅広の入口コンベヤと、その入口コンベヤの搬出端に供給端が接続され、その供給端に送り込まれてくる容器を入口コンベヤより速い速度で下流側に搬送する入口コンベヤと略同等の幅寸法のアキュームレーションコンベヤと、そのアキュームレーションコンベヤの搬出端部から送り出される容器を供給端部の一側で受け取って単列または複列の状態で下流側に搬送する出口コンベヤと、前記入口コンベヤ、アキュームレーションコンベヤおよび出口コンベヤの搬送面両側に設けられた容器搬送方向に長く延びる一対のサイドガイドとからなり、前記アキュームレーションコンベヤを容器搬送方向に複数に分割し、その分割コンベヤの接続部間に容器の受け渡しを行うデッドプレートを設け、前記各分割コンベヤの供給端部および搬出端部のそれぞれに容器の滞留を検出する入口センサおよび出口センサを設け、出口センサが滞留容器を検出したとき、その分割コンベヤを減速し、入口センサが滞留容器を検出したとき、その分割コンベヤを停止させるようにしたアキュームレーションコンベヤ装置。
【請求項３】
前記分割コンベヤのそれぞれが、容器の搬送方向に対して直交する方向に細長い合成樹脂から成る幅寸法の小さなスラットをピンで屈曲自在に連結したスラットコンベヤからなる請求項１又は２に記載のアキュームレーションコンベヤ装置。
【発明の詳細な説明】
【技術分野】
【０００１】
この発明は、一方向に連続して搬送される容器を、その搬送ラインの一部において一次的に貯留させるアキュームレーションコンベヤ装置に関するものである。
【背景技術】
【０００２】
缶や瓶、ペットボトル等の容器にジュースやお茶等の飲料水を充填する飲料製造ラインにおいては、充填機から送り出される飲料水充填容器を殺菌(滅菌)処理装置やラベラ等の各種処理装置に送り込んで各種の処理を施したのち、ケーサに送り込んで箱詰めすることが行なわれている。
【０００３】
上記のような飲料製造ラインでは、充填機の下流側に設けられたラベラ等の処理装置が故障して停止し、あるいは、低速運転に切換えられると、充填機から連続的に送り出される容器が搬送ライン上で滞留し、容器に過大なラインプレッシャが負荷されて容器が変形し、ジャムや転倒等のトラブルが発生することになる。また、ラベラ等の処理装置が故障した際、あるいは低速運転に切換えされた際に、その都度、充填機を停止させるようにすると、充填ラインの安定的な稼動ができなくなる。
【０００４】
そのようなトラブルの発生を防止し、容器搬送ラインに設けられた複数の処理装置の相互間における稼動速度をシンクロさせる目的等から、飲料製造ラインにおいては、ラベラとその上流側において容器を多列状態から単列状態に変換するシングライザとの間や容器を箱詰めするケーサの上流側等の容器搬送ラインの一部にアキュームレーションコンベヤ装置を設け、そのアキュームレーションコンベヤ装置上に置いて容器を自動的に貯留し、処理装置の定速運転への切換え後、あるいは、故障修理後の運転再開後に、そのアキュームレーションコンベヤ装置上の容器を順次払い出すようにしている。
【０００５】
上記アキュームレーションコンベヤ装置として、図５に示したものが従来から知られている。このアキュームレーションコンベヤ装置においては、容器Ａを単列または複列の状態で一方向に搬送する入口コンベヤ２０の搬出端部の一側にアキュームレーションコンベヤ２１の供給端部を接続し、そのアキュームレーションコンベヤ２１の搬出端部の一側に出口コンベヤ２２の供給端部を接続し、上記アキュームレーションコンベヤ２１を、容器Ａを単列状態で搬送するメインコンベヤ２１ａと、複列に配置された複数のサブコンベヤ２１ｂとで形成し、上記メインコンベヤ２１ａの搬送面上の一側に、入口コンベヤ２０によって搬送される容器Ａをメインコンベヤ２１ａ上に案内すると共に、メインコンベヤ２１ａによって搬送される容器を出口コンベヤ２２上に案内するガイド２３を設けている。
【０００６】
上記従来のアキュームレーションコンベヤ装置においては、通常の運転では、図５(Ｉ)に示すように、入口コンベヤ２０からメインコンベヤ２１ａ上に容器Ａを単列または複列の状態で送り込み、そのメインコンベヤ２１ａから出口コンベヤ２２上に容器を単列状態で搬送させるようにしている。
【０００７】
そして、出口コンベヤ２２の下流側に配置された処理装置が故障した場合に、出口コンベヤ２２上において容器Ａを滞留させ、出口コンベヤ２２の供給端部上において停止する容器Ａに後続の容器Ａを当接させてメインコンベヤ２１ａの排出端部上の容器Ａを貯留させ、その貯留容器Ａに後続の容器Ａが当接し、容器同士が互いに押圧する作用によって、複列のサブコンベヤ２１ｂ上に容器を移動させ、図５(ＩＩ)に示すように、サブコンベヤ２１ｂの搬出端部上から順に容器Ａを貯留させるようにしている。
【０００８】
ところで、上記従来のアキュームレーションコンベヤ装置においては、処理装置の故障修理後、複列のサブコンベヤ２１ｂを移動させて貯留されている容器Ａを払い出す際に、後続の容器Ａが先行側の容器Ａを押すことになるため、先頭の容器Ａが出口コンベヤ２２の供給端部上において詰まりが生じやすく、貯留容器Ａをスムーズに払い出すことができないという不都合がある。
【０００９】
また、メインコンベヤ２１ａの搬送速度をサブコンベヤ２１ｂの搬送速度より速くしているために、メインコンベヤ２１ａ上の容器Ａがサブコンベヤ２１ｂ上の容器Ａより先に送り出され、先に貯留されていた容器Ａが後で払い出されて、先入れ、先出しできないという不都合がある。
【００１０】
さらに、胴部の断面形状が丸形の容器Ａの場合は、メインコンベヤ２１ａ上の容器Ａを、容器Ａ同士の押し合いによって横方向に多列分散化させることができるが、胴部の断面形状が角形の容器Ａの場合は、縦一列に並んだ場合に面同士の衝合によって方向規制がかかり、横方向にずれなくてブロッキングを起こし、多列分散化させることができないという不都合もある。
【００１１】
特許文献１には、そのような不都合を解消できるようにしたアキュームレーションコンベヤ装置が提案されている。
【特許文献１】特開２００４−２６４６０号公報
【発明の開示】
【発明が解決しようとする課題】
【００１２】
ところで、特許文献１に記載されたアキュームレーションコンベヤ装置においては、往路コンベヤと復路コンベヤとの間に設けられた転送装置をコンベヤの進行方向に移動させて往路コンベヤと復路コンベヤの搬送長さを可変させて容器を単列状態で貯留させる構成であるため、多数の容器を貯留させるには、往路コンベヤ、復路コンベヤ、および転送装置から成るバッファコンベヤ装置の複数を複列に設ける必要が生じ、アキュームレーションコンベヤ装置が大型化し、設置のためにかなり広い設置スペースを確保しなければならないという問題がある。
【００１３】
この発明の課題は、容器を先入れ、先出しすることができると共に、貯留容器をスムーズに払い出すことができるようにした小型のアキュームレーションコンベヤ装置を提供することである。
【課題を解決するための手段】
【００１４】
上記の課題を解決するため、第１の発明においては、容器を単列または複列の状態で搬送する入口コンベヤと、その入口コンベヤの搬出端部から送り出される容器を受け取って下流側に搬送する幅広のアキュームレーションコンベヤと、そのアキュームレーションコンベヤの搬出端部から送り出される容器を供給端部の一側で受け取って単列または複列の状態で下流側に搬送する出口コンベヤと、前記入口コンベヤから送り出される容器をアキュームレーションコンベヤの幅方向の中央部に誘導するガイドと、前記アキュームレーションコンベヤの搬送面の両側および出口コンベヤの搬送面両側に設けられた容器搬送方向に長く延びる一対のサイドガイドとからなり、前記アキュームレーションコンベヤを容器搬送方向に複数に分割し、その分割コンベヤの接続部間に容器の受け渡しを行うデッドプレートを設け、前記各分割コンベヤの供給端部および搬出端部のそれぞれに容器の滞留を検出する入口センサおよび出口センサを設け、出口センサが滞留容器を検出したとき、その分割コンベヤを減速し、入口センサが滞留容器を検出したとき、その分割コンベヤを停止させるようにした構成を採用したのである。
【００１５】
また、第２の発明においては、容器を多列の状態で搬送する幅広の入口コンベヤと、その入口コンベヤの搬出端に供給端が接続され、その供給端に送り込まれてくる容器を入口コンベヤより速い速度で下流側に搬送する入口コンベヤと略同等の幅寸法のアキュームレーションコンベヤと、そのアキュームレーションコンベヤの搬出端部から送り出される容器を供給端部の一側で受け取って単列または複列の状態で下流側に搬送する出口コンベヤと、前記入口コンベヤ、アキュームレーションコンベヤおよび出口コンベヤの搬送面両側に設けられた容器搬送方向に長く延びる一対のサイドガイドとからなり、前記アキュームレーションコンベヤを容器搬送方向に複数に分割し、その分割コンベヤの接続部間に容器の受け渡しを行うデッドプレートを設け、前記各分割コンベヤの供給端部および搬出端部のそれぞれに容器の滞留を検出する入口センサおよび出口センサを設け、出口センサが滞留容器を検出したとき、その分割コンベヤを減速し、入口センサが滞留容器を検出したとき、その分割コンベヤを停止させるようにした構成を採用したのである。
【００１６】
第１および第２の発明に係るアキュームレーションコンベヤ装置においては、通常運転の場合、入口コンベヤ、アキュームレーションコンベヤおよび出口コンベヤのそれぞれを同じ速度でもって移動させ、上記入口コンベヤによって搬送される単列または複列あるいは多列の容器をアキュームレーションコンベヤ上に送り込み、そのアキュームレーションコンベヤから出口コンベヤ上に送り込んで、単列または複列の状態で下流側に搬送する。
【００１７】
出口コンベヤの下流側に配置された処理装置が故障すると、出口コンベヤ上に容器が貯留し、その出口コンベヤの供給端部上に容器が貯留されると、その容器に後続の容器が当接して、後続の容器はアキュームレーションコンベヤの最下流の分割コンベヤの搬出端部において停止する。その停止状態の容器に後続の容器が当接して押込むため、後続の容器は分割コンベヤの幅方向に拡がり、搬出端部から順に容器が貯留される。
【００１８】
分割コンベヤの搬出端部に設けられた出口センサが貯留容器を検出すると、分割コンベヤは低速運転に切り換わり、その後も後続の容器は順に貯留される。入口センサがその貯留容器を検出すると、分割コンベヤは停止する。このとき、その分割コンベヤに接続された後続の分割コンベヤは運転状態にあるため、その後続の分割コンベヤから容器がさらに送り込まれることになり、最下流の分割コンベヤの搬送面全体において容器が多列状態で貯留される。
【００１９】
上記のようにして、容器は最下流の分割コンベヤから後側の分割コンベヤに向けて順に自動的に貯留される。
【００２０】
処理装置の故障の修理によってその処理装置が運転を再開されると、出口コンベヤ上において貯留されている容器が下流側に搬送され、出口コンベヤの供給端部上の容器が下流側に搬送されると、停止状態にある下流側の分割コンベヤから順に運転を再開する。その分割コンベヤの運転再開によって、貯留容器は下流側の分割コンベヤ上の貯留容器から順に出口コンベヤ上に払い出されることになる。
【００２１】
ここで、分割コンベヤのそれぞれとして、容器の搬送方向に対して直交する方向に細長い合成樹脂から成る幅寸法の小さなスラットをピンで屈曲自在に連結したスラットコンベヤを採用することにより、分割コンベヤの搬送面上において容器が滑り移動し易く、出口コンベヤの減速、あるいは停止時に、容器は後続の容器の押圧により分割コンベヤの幅方向にスムーズに拡がることになる。このため、分割コンベヤの搬出端部から供給端部に向けて、先入れされた容器から順に確実に貯留させることができると共に、容器を転倒させることなく貯留することができる。
【００２２】
また、搬送面の滑り性が良いため、容器の底面と搬送面の摩擦抵抗が小さく、容器が合成樹脂の場合において、搬送面や容器底面に擦り傷を発生させることなく容器を貯留させることができると共に、容器の転倒を確実に防止する状態で容器を貯留させることができる。
【発明の効果】
【００２３】
上記のように、第１および第２の発明にかかるアキュームレーションコンベヤ装置においては、複数に分割された下流側の分割コンベヤから容器を自動的に順次貯留させることができると共に、停止状態にある分割コンベヤを下流の分割コンベヤから順に運転再開することによって、先入れされた容器から順に出口コンベヤ上に払い出しすることができ、容器を先入れ、先出しすることができる。
【００２４】
また、容器は分割コンベヤの搬送面上において多列の状態で貯留されるため、小型で有りながらも多数の容器を貯留することができ、設置に大きなスペースを確保する必要のない小型のアキュームレーションコンベヤ装置を得ることができる。
【００２５】
さらに、分割コンベヤの供給端部および搬出端部に入口センサおよび出口センサを設け、出口センサが貯留容器を検出した際に分割コンベヤを低速状態に切り換え、入口センサが貯留容器を検出した際に分割コンベヤを停止させるようにしたので、ラインプレッシャは極めて小さく、容器を変形や損傷を与えることなく貯留することができると共に、分割コンベヤの駆動用モータの負荷も小さいため、小型のモータを採用することができる。
【発明を実施するための最良の形態】
【００２６】
以下、この発明の実施の形態を図１乃至図４に基いて説明する。図１はこの発明に係るアキュームレーションコンベヤ装置の第１の実施形態を示す。図示のように、入口コンベヤ１は、容器Ａを単列または複列の状態で図１(Ｉ)の矢印方向に搬送するようになっている。その入口コンベヤ１の搬出端部の一側にはアキュームレーションコンベヤＣの供給端部が接続され、その両コンベヤ１、Ｃの接続部に、入口コンベヤ１によって搬送される単列または複列状態の容器Ａの搬送方向を略９０°方向変換してアキュームレーションコンベヤＣの幅方向の略中央部に案内する反転ガイド２が設けられている。
【００２７】
アキュームレーションコンベヤＣは、入口コンベヤ１から送り込まれる容器Ａを下流側に搬送し、そのアキュームレーションコンベヤＣの搬出端部に出口コンベヤ３の供給端部の一側部が接続されている。
【００２８】
第１の実施形態では、出口コンベヤ３による容器Ａの搬送方向を、入口コンベヤ１による容器Ａの搬送方向に対して逆向きとしているが、入口コンベヤ１による容器Ａの搬送方向と同方向であってもよい。
【００２９】
アキュームレーションコンベヤＣの搬送面の両側および出口コンベヤ３の搬送面のそれぞれ両側には、容器Ａの搬送方向に長く延びて、容器Ａが搬送面の両側から落下するのを防止する一対のサイドガイド４が設けられている。
【００３０】
アキュームレーションコンベヤＣは、容器Ａの搬送方向に複数に分割され、その分割コンベヤＣ1乃至Ｃnの各接続部間に容器Ａの受け渡しを行うデッドプレート５が設けられている。このデッドプレート５の容器搬送方向の幅寸法は、分割コンベヤＣ1乃至Ｃnの各接続部間における容器Ａの受け渡しをスムーズに行うため、３ｃｍ以下のものが用いられている。
【００３１】
ここで、分割コンベヤＣ1乃至Ｃnのそれぞれは、図２及び図３に示すように、容器Ａの搬送方向に対して交差方向に長く延び、その両側に複数の連結片７が櫛歯状に形成された合成樹脂から成る幅寸法の小さなスラット６を連結片７が噛合うよう組合わせ、直線状に並ぶ連結片７にピン８を刺通して、各スラット６を屈曲自在に連結したスラットコンベヤからなっている。
【００３２】
図１に示すように、各分割コンベヤＣ1乃至Ｃnの供給端部及び搬出端部には、容器Ａの滞留を検出する入口センサＳ1及び出口センサＳ2が設けられている。入口センサＳ1及び出口センサＳ2として、ここでは、リミットスイッチが採用されている。その入口センサＳ1及び出口センサＳ2は容器Ａの当接、離反によってオン、オフし、その検出信号は図示省略した制御装置に入力される。
【００３３】
制御装置は、出口センサＳ2から入力されるオンの信号に基いて、その分割コンベヤを減速し、低速で走行させるようになっており、また、入口センサＳ1から入力されるオンの信号に基いてその分割コンベヤを停止させるようになっている。
【００３４】
また、出口コンベヤ３の供給端部には、容器Ａの通過を検出する２つの容器検出センサＳ3、Ｓ4が容器Ａの搬送方向に間隔をおいて設けられている。この容器検出センサＳ3、Ｓ4は上記入口センサＳ1及び出口センサＳ2と同様にリミットスイッチからなり、その容器検出センサＳ3、Ｓ4の検出信号は制御装置に入力される。
【００３５】
制御装置は、下流側の容器検出センサＳ3から入力されるオフの入力信号に基いて最下流の分割コンベヤＣ1を運転再開させるようになっている。また、制御装置は容器検出センサＳ3、Ｓ4のそれぞれから入力されるオンの入力信号に基いて分割コンベヤＣ1乃至Ｃnのそれぞれを停止させるようになっている。
【００３６】
実施の形態で示すアキュームレーションコンベヤ装置は上記の構造からなり、出口コンベヤ３の下流側に設けられたラベラ等の図示省略した処理装置が正常に運転されている場合、入口コンベヤ１、アキュームレーションコンベヤＣを形成する複数の分割コンベヤＣ1乃至Ｃnは同じ速度でもって移動しており、一方、出口コンベヤ３は、入口コンベヤ１よりも高速で移動している。
【００３７】
上記のような正常な運転状態においては、入口コンベヤ１によって搬送される単列または複列の容器Ａは反転ガイド２に案内されて、アキュームレーションコンベヤＣ上に送り込まれ、そのアキュームレーションコンベヤＣから出口コンベヤ３上に送り込まれて単列または複列の状態で下流側に搬送される。
【００３８】
出口コンベヤ３の下流側に配置された処理装置が故障して停止すると、出口コンベヤ３上に容器Ａが貯留し、その出口コンベヤ３の供給端部上に容器Ａが貯留されると、その容器Ａに後続の容器Ａが当接して、後続の容器ＡはアキュームレーションコンベヤＣの最下流の分割コンベヤＣ1の搬出端部上において停止する。その停止状態の容器Ａに後続の容器Ａが当接して押込むため、後続の容器Ａは、図１(ＩＩ)に示すように、分割コンベヤＣ1の幅方向に拡がり、搬出端部から順に容器Ａが貯留される。
【００３９】
なお、最下流の分割コンベヤＣ1の搬出端部上に容器Ａが貯留されるとき、出口コンベヤ３の供給端部に設けられた２つの容器検出センサＳ3、Ｓ4のうち、下流側の容器検出センサＳ3はオンとなるが、上流側の容器検出センサＳ4は、容器Ａが正常に貯留される場合は、オンにならないようにされている。
【００４０】
分割コンベヤＣ1の搬出端部に設けられた出口センサＳ2が貯留容器Ａで押されてオンになると、分割コンベヤＣ1は低速運転に切り換わり、その後も後続の容器Ａは順に貯留される。入口センサＳ1がその貯留容器Ａで押されてオンになると、分割コンベヤＣ1は停止する。このとき、その分割コンベヤＣ1に接続された後続の分割コンベヤＣ2乃至Ｃnは運転状態にあるため、その後続の分割コンベヤＣ2乃至Ｃnから容器Ａがさらに送り込まれることになり、最下流の分割コンベヤＣ1の搬送面全体において容器Ａが多列状態で貯留される。
【００４１】
上記のようにして、容器Ａは最下流の分割コンベヤＣ1から後側の分割コンベヤＣ2乃至Ｃnに向けて順に自動的に貯留される。
【００４２】
処理装置の故障の修理によってその処理装置が運転を再開されると、出口コンベヤ３上において貯留されている容器Ａが下流側に搬送される。出口コンベヤ３の供給端部上の容器Ａが下流側に搬送され、容器検出センサＳ3がオフになると、停止状態にある下流側の分割コンベヤＣ1から順に運転を再開する。その分割コンベヤＣ1乃至Ｃnの運転再開によって、貯留容器Ａは下流側の分割コンベヤＣ1上の貯留容器Ａから順に出口コンベヤ３上に払い出されることになる。
【００４３】
実施の形態で示すアキュームレーションコンベヤ装置においては、上記のように、複数に分割された下流側の分割コンベヤＣ1から容器Ａを自動的に順次貯留させることができると共に、停止状態にある分割コンベヤを下流の分割コンベヤＣ1から順に運転再開することによって、先入れされた容器Ａから順に出口コンベヤ３上に先出し払い出しすることができ、容器Ａを先入れ、先出しすることができる。
【００４４】
また、容器Ａは分割コンベヤＣ1乃至Ｃnの搬送面上において多列の状態で貯留されるため、小型で有りながらも多数の容器Ａを貯留することができ、設置に大きなスペースを確保する必要のない小型のアキュームレーションコンベヤ装置を得ることができる。
【００４５】
さらに、分割コンベヤＣ1乃至Ｃnの供給端部および搬出端部に入口センサＳ1および出口センサＳ2を設け、出口センサＳ2が貯留容器で押されてオンになると、分割コンベヤＣ1乃至Ｃnを低速状態に切り換え、入口センサＳ1が貯留容器Ａで押されてオンになると、分割コンベヤＣ1乃至Ｃnを停止させるようにしたので、貯留される容器Ａに対する押込み力の負荷の低減化を図ることができ、容器Ａに変形や損傷を与えることなく貯留することができる。
【００４６】
ここで、容器Ａを貯留する分割コンベヤＣ1乃至Ｃnのそれぞれは、容器Ａの搬送方向に対して直交する方向に細長い合成樹脂から成るスラット６をピン８で屈曲自在に連結した合成樹脂からなるスラットコンベヤからなるため、分割コンベヤＣ1乃至Ｃnの搬送面上において容器Ａが滑り移動し易く、出口コンベヤ３の減速、あるいは停止時に、容器Ａは後続の容器Ａの押圧により分割コンベヤＣ1乃至Ｃnの幅方向にスムーズに拡がることになる。このため、分割コンベヤＣ1乃至Ｃnの搬出端部から供給端部に向けて、先入れされた容器Ａから順に確実に貯留させることができる。
【００４７】
また、搬送面の滑り性が良いため、容器Ａの底面と搬送面の摩擦抵抗が小さく、容器Ａが合成樹脂の場合において、搬送面や容器Ａ底面に擦り傷を発生させることなく容器Ａを貯留させることができると共に、容器Ａの転倒を確実に防止する状態で容器Ａを貯留させることができる。
【００４８】
なお、合成樹脂から成るトップマットコンベヤに変えて、搬送面が網目構造の金網チェーンコンベヤを用いるようにしてもよい。
【００４９】
第１の実施形態においては、入口コンベヤ１が容器Ａを単列状態または複列状態で搬送可能な大きさとし、その入口コンベヤ１の排出端部の一側にアキュームレーションコンベヤＣの供給端が位置するよう入口コンベヤ１とアキュームレーションコンベヤＣをＬ形の配置としたが、図４に示す第２の実施形態のように、入口コンベヤ１の幅寸法をアキュームレーションコンベヤＣの幅寸法に略等しくして容器Ａを多列状態で搬送し、入口コンベヤ１の搬出端にアキュームレーションコンベヤＣの供給端が位置するよう入口コンベヤ１とアキュームレーションコンベヤＣを直列に接続し、上記アキュームレーションコンベヤＣの搬送面両側に設けたサイドガイド４を入口コンベヤ１の搬送面両側まで延長させるようにしてもよい。
【００５０】
この場合、上記入口コンベヤ１の容器搬送速度をアキュームレーションコンベヤＣの通常運転時の容器搬送速度より低速とし、その速度差によって入口コンベヤ１から送り込まれてくる容器Ａが上記アキュームレーションコンベヤＣにより間隔をあけて搬送されるようにする。
【図面の簡単な説明】
【００５１】
【図１】(Ｉ)は、この発明に係るアキュームレーションコンベヤ装置の第１の実施形態を示す概略平面図、(ＩＩ)は、容器の貯留状態を示す平面図
【図２】分割コンベヤの接続部を示す正面図
【図３】図２に示すコンベヤのスラットを示す斜視図
【図４】この発明に係るアキュームレーションコンベヤ装置の第２の実施形態を示す概略平面図
【図５】(Ｉ)は、従来のアキュームレーションコンベヤ装置を示す概略平面図、(ＩＩ)は、容器の貯留状態を示す平面図
【符号の説明】
【００５２】
１    入口コンベヤ
２    反転ガイド(ガイド)
３    出口コンベヤ
４    サイドガイド
Ｃ    アキュームレーションコンベヤ
Ｃ1  分割コンベヤ
Ｃn  分割コンベヤ
Ｓ1  入口センサ
Ｓ2  出口センサ
【図１】
2007326665.tif 000003
【図２】
2007326665.tif 000004
【図３】
2007326665.tif 000005
【図４】
2007326665.tif 000006
【図５】
2007326665.tif 000007